(57)【特許請求の範囲】
【請求項１】
第３世代無線モバイル通信技術（３Ｇ）ネットワークのリソースプール内のネットワークリソースのリセットを可能にするための、第１のネットワークノード（１０）により実行される方法であって、
前記第１のネットワークノードの物理的部分に識別子の割り当てが関連するように割り当てられる識別子で前記リソースプール内の前記ネットワークリソースを識別するステップと、
前記第１のネットワークノードの一部にのみ影響する障害時に、情報エレメントの少なくとも１つのペアを提供するステップ（Ｓ１０）と、
を含み、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される情報エレメント（ＩＥ）に対応する、
方法。
【請求項２】
識別子の各レンジの長さは、２よりも大きい、請求項１に記載の方法。
【請求項３】
情報エレメントのペアのうちの一方の情報エレメントは、識別子のリスト内の識別子のレンジの起点を示し、情報エレメントの同じペアのうちの他方の情報エレメントは、識別子の同じレンジの終点を示す、請求項１又は請求項２に記載の方法。
【請求項４】
情報エレメントのペアのうちの一方の情報エレメントは、識別子のリスト内の識別子のレンジの起点又は終点を示し、情報エレメントの同じペアのうちの他方の情報エレメントは、識別子の同じレンジの長さを示す、請求項１又は請求項２に記載の方法。
【請求項５】
情報エレメントの少なくとも１つのペアを提供する前記ステップ（Ｓ１０）は、第２のネットワークノード（２０）への転送のために情報エレメントの前記少なくとも１つのペアを準備するステップ（Ｓ１１）と、前記第２のネットワークノード（２０）へ情報エレメントの前記少なくとも１つのペアを送信するステップ（Ｓ１２）と、を含む、請求項１〜４のいずれかに記載の方法。
【請求項６】
第３世代無線モバイル通信技術（３Ｇ）ネットワークのリソースプール内のネットワークリソースのリセットを可能にするための、第２のネットワークノード（２０）により実行される方法であって、
第１のネットワークノードの物理的部分に識別子の割り当てが関連するように割り当てられる識別子で前記リソースプール内の前記ネットワークリソースを識別するステップと、
前記第１のネットワークノードの一部にのみ影響する障害時に、情報エレメントの少なくとも１つのペアを受信するステップ（Ｓ２０）と、
を含み、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で受信される情報エレメント（ＩＥ）に対応する、
方法。
【請求項７】
識別子の各レンジの長さは、２よりも大きい、請求項６に記載の方法。
【請求項８】
前記方法は、情報エレメントの受信されるそれぞれのペアにより定義される識別子の各レンジ内のそれぞれの識別子に関連付けられる各ネットワークリソースをリセットするステップ（Ｓ３０）、をさらに含む、請求項６又は請求項７に記載の方法。
【請求項９】
前記方法は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中にＲＡＮＡＰメッセージであるＲＥＳＥＴ  ＲＥＳＯＵＲＣＥ  ＡＣＫＮＯＷＬＥＤＧＥを前記第１のネットワークノード（１０）へ送信することにより、情報エレメントの前記少なくとも１つのペアが受信されたという確認応答を行うステップ（Ｓ４０）、をさらに含む、請求項６〜８のいずれかに記載の方法。
【請求項１０】
前記第１のネットワークノード（１０）は、無線ネットワークコントローラ（ＲＮＣ）であり、前記第２のネットワークノード（２０）は、コアネットワークノード（ＣＮノード）である、請求項５又は請求項９に記載の方法。
【請求項１１】
前記第１のネットワークノード（１０）は、コアネットワークノード（ＣＮノード）であり、前記第２のネットワークノード（２０）は、無線ネットワークコントローラ（ＲＮＣ）である、請求項５又は請求項９に記載の方法。
【請求項１２】
第３世代無線モバイル通信技術（３Ｇ）ネットワークのリソースプール内のネットワークリソースのリセットを可能にするように構成される第１のネットワークノード（１０）であって、
前記第１のネットワークノードの物理的部分に識別子の割り当てが関連するように割り当てられる識別子で前記リソースプール内の前記ネットワークリソースを識別し、
前記第１のネットワークノードの一部にのみ影響する障害時に、情報エレメントの少なくとも１つのペアを提供する、
ように構成され、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される情報エレメント（ＩＥ）に対応する、
第１のネットワークノード（１０）。
【請求項１３】
識別子の各レンジの長さは、２よりも大きい、請求項１２の第１のネットワークノード。
【請求項１４】
情報エレメントのペアのうちの一方の情報エレメントは、識別子のリスト内の識別子のレンジの起点を示し、情報エレメントの同じペアのうちの他方の情報エレメントは、識別子の同じレンジの終点を示す、請求項１２又は請求項１３の第１のネットワークノード。
【請求項１５】
情報エレメントのペアのうちの一方の情報エレメントは、識別子のリスト内の識別子のレンジの起点又は終点を示し、情報エレメントの同じペアのうちの他方の情報エレメントは、識別子の同じレンジの長さを示す、請求項１２又は請求項１３の第１のネットワークノード。
【請求項１６】
前記第１のネットワークノード（１０）は、第２のネットワークノード（２０）への転送のために情報エレメントの前記少なくとも１つのペアを準備し、前記第２のネットワークノード（２０）へ情報エレメントの前記少なくとも１つのペアを送信する、ように構成される、請求項１２〜１５のいずれかの第１のネットワークノード。
【請求項１７】
前記第１のネットワークノード（１０）は、
−無線ネットワークコントローラ（ＲＮＣ）、
−コアネットワークノード（ＣＮノード）、
のうちの１つである、請求項１２〜１６のいずれかの第１のネットワークノード。
【請求項１８】
前記第１のネットワークノード（１０）は、プロセッサ（１１）及びメモリ（１２）を備え、前記メモリ（１２）は、前記プロセッサ（１１）により実行可能な命令を含み、前記プロセッサ（１１）は、情報エレメントの少なくとも１つのペアを提供するように動作可能であり、各ペアは、識別子のリスト内のそれぞれの識別子のレンジを定義し、識別子の各レンジ内の各識別子は、リセットされるべきそれぞれのネットワークリソースに関連付けられ、前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される情報エレメント（ＩＥ）に対応する、請求項１２〜１７のいずれかの第１のネットワークノード。
【請求項１９】
前記プロセッサ（１１）は、第２のネットワークノード（２０）への転送のために、情報エレメントの前記少なくとも１つのペアを準備する、ように動作可能である、請求項１８の第１のネットワークノード。
【請求項２０】
前記第１のネットワークノード（１０）は、前記第２のネットワークノード（２０）へ情報エレメントの前記少なくとも１つのペアを送信するように構成される通信回路（１３）、を備える、請求項１９の第１のネットワークノード。
【請求項２１】
前記第１のネットワークノード（１０）は、
情報エレメントの少なくとも１つのペアを提供するための提供モジュール（１００）、
を備え、
各ペアは、識別子のリスト内のそれぞれの識別子のレンジを定義し、識別子の各レンジ内の各識別子は、リセットされるべきそれぞれのネットワークリソースに関連付けられ、前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される情報エレメント（ＩＥ）に対応する、
請求項１２〜２０のいずれかの第１のネットワークノード（１０）。
【請求項２２】
第３世代無線モバイル通信技術（３Ｇ）ネットワークのリソースプール内のネットワークリソースのリセットを可能にするように構成される第２のネットワークノード（２０）であって、
第１のネットワークノードの物理的部分に識別子の割り当てが関連するように割り当てられる識別子で前記リソースプール内の前記ネットワークリソースを識別し、
前記第１のネットワークノードの一部にのみ影響する障害時に、情報エレメントの少なくとも１つのペアを受信する、
ように構成され、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で受信される情報エレメント（ＩＥ）に対応する、
第２のネットワークノード（２０）。
【請求項２３】
識別子の各レンジの長さは、２よりも大きい、請求項２２の第２のネットワークノード。
【請求項２４】
前記第２のネットワークノード（２０）は、情報エレメントの受信されるそれぞれのペアにより定義される識別子の各レンジ内のそれぞれの識別子に関連付けられる各ネットワークリソースをリセットする、ようにさらに構成される、請求項２２又は請求項２３の第２のネットワークノード。
【請求項２５】
前記第２のネットワークノード（２０）は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中にＲＡＮＡＰメッセージであるＲＥＳＥＴ  ＲＥＳＯＵＲＣＥ  ＡＣＫＮＯＷＬＥＤＧＥを前記第１のネットワークノード（１０）へ送信することにより、情報エレメントの前記少なくとも１つのペアが受信されたという確認応答を行う、ようにさらに構成される、請求項２２〜２４のいずれかの第２のネットワークノード。
【請求項２６】
前記第２のネットワークノード（２０）は、
−コアネットワークノード（ＣＮノード）、
−無線ネットワークコントローラ（ＲＮＣ）、
のうちの１つである、請求項２２〜２５のいずれかの第２のネットワークノード。
【請求項２７】
前記第２のネットワークノード（２０）は、プロセッサ（２１）及びメモリ（２２）を備え、前記メモリ（２２）は、前記プロセッサ（２１）により実行可能な命令を含み、前記プロセッサ（２１）は、情報エレメントの少なくとも１つのペアを取得するように動作可能であり、各ペアは、識別子のリスト内のそれぞれの識別子のレンジを定義し、識別子の各レンジ内の各識別子は、リセットされるべきそれぞれのネットワークリソースに関連付けられ、前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥから取得される情報エレメント（ＩＥ）に対応する、請求項２２〜２６のいずれかの第２のネットワークノード。
【請求項２８】
前記プロセッサ（２１）は、情報エレメントの受信されるそれぞれのペアにより定義される識別子の各レンジ内のそれぞれの識別子に関連付けられる各ネットワークリソースをリセットする、ようにさらに動作可能である、請求項２７の第２のネットワークノード。
【請求項２９】
前記プロセッサ（２１）は、情報エレメントの前記少なくとも１つのペアが受信されたという確認応答を準備する、ようにさらに動作可能であり、前記確認応答は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中のＲＡＮＡＰメッセージであるＲＥＳＥＴ  ＲＥＳＯＵＲＣＥ  ＡＣＫＮＯＷＬＥＤＧＥのために準備される、請求項２７又は請求項２８の第２のネットワークノード。
【請求項３０】
前記第２のネットワークノード（２０）は、情報エレメントの少なくとも１つのペアを受信するように構成される通信回路（２３）、を備え、各ペアは、識別子のリスト内のそれぞれの識別子のレンジを定義し、識別子の各レンジ内の各識別子は、リセットされるべきそれぞれのネットワークリソースに関連付けられ、前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で受信される情報エレメント（ＩＥ）に対応する、請求項２２〜２９のいずれかの第２のネットワークノード。
【請求項３１】
前記通信回路（２３）は、情報エレメントの前記少なくとも１つのペアが受信されたという確認応答を送信する、ようにさらに構成され、前記確認応答は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中のＲＡＮＡＰメッセージであるＲＥＳＥＴ  ＲＥＳＯＵＲＣＥ  ＡＣＫＮＯＷＬＥＤＧＥ内で前記第１のネットワークノード（１０）へ送信される、請求項３０の第２のネットワークノード。
【請求項３２】
前記第２のネットワークノード（２０）は、
情報エレメントの少なくとも１つのペアを取得するための取得モジュール（２００）、
を備え、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥから取得される情報エレメント（ＩＥ）に対応する、
請求項２２〜３１のいずれかの第２のネットワークノード（２０）。
【請求項３３】
前記第２のネットワークノード（２０）は、情報エレメントの受信されるそれぞれのペアにより定義される識別子の各レンジ内のそれぞれの識別子に関連付けられる各ネットワークリソースをリセットするためのリセットモジュール（３００）、をさらに備える、請求項３２の第２のネットワークノード。
【請求項３４】
前記第２のネットワークノード（２０）は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中にＲＡＮＡＰメッセージであるＲＥＳＥＴ  ＲＥＳＯＵＲＣＥ  ＡＣＫＮＯＷＬＥＤＧＥを前記第１のネットワークノード（１０）へ送信することにより、情報エレメントの前記少なくとも１つのペアが受信されたという確認応答を行うための確認応答モジュール（４００）、をさらに備える、請求項３２又は請求項３３の第２のネットワークノード。
【請求項３５】
第３世代無線モバイル通信技術（３Ｇ）ネットワークのリソースプール内のネットワークリソースのリセットを可能にするように構成される第１のネットワークノード（１０）の少なくとも１つのプロセッサ（１１）により実行された場合に、前記プロセッサに、
前記第１のネットワークノードの物理的部分に識別子の割り当てが関連するように割り当てられる識別子で前記リソースプール内の前記ネットワークリソースを識別させ、
前記第１のネットワークノードの一部にのみ影響する障害時に、情報エレメントの少なくとも１つのペアを提供させる、
命令を含むコンピュータプログラム（１４）であって、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される情報エレメント（ＩＥ）に対応する、
コンピュータプログラム（１４）。
【請求項３６】
第３世代無線モバイル通信技術（３Ｇ）ネットワークのリソースプール内のネットワークリソースのリセットを可能にするように構成される第２のネットワークノード（２０）の少なくとも１つのプロセッサ（２１）により実行された場合に、前記プロセッサに、
第１のネットワークノードの物理的部分に識別子の割り当てが関連するように割り当てられる識別子で前記リソースプール内の前記ネットワークリソースを識別させ、
前記第１のネットワークノードの一部にのみ影響する障害時に、情報エレメントの少なくとも１つのペアを取得させる、
命令を含むコンピュータプログラム（２４）であって、
各ペアは、識別子のリスト内のそれぞれの識別子のレンジを定義し、
識別子の各レンジ内の各識別子は、リセットされるべきそれぞれのネットワークリソースに関連付けられ、
前記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥから取得される情報エレメント（ＩＥ）に対応する、
コンピュータプログラム（２４）。
【請求項３７】
少なくとも１つのプロセッサ（２１）により実行された場合に、さらに前記プロセッサに、情報エレメントの受信されるそれぞれのペアにより定義される識別子の各レンジ内のそれぞれの識別子に関連付けられる各ネットワークリソースをリセットさせる、命令を含む、請求項３６のコンピュータプログラム。
【請求項３８】
少なくとも１つのプロセッサ（２１）により実行された場合に、さらに前記プロセッサに、情報エレメントの前記少なくとも１つのペアが受信されたという確認応答を準備させる、命令を含み、前記確認応答は、ＲＡＮＡＰ（Radio  Access  Network  Application  Part）  Ｒｅｓｅｔ  Ｒｅｓｏｕｒｃｅ  Ａｃｋｎｏｗｌｅｄｇｅ手続中のＲＡＮＡＰメッセージであるＲＥＳＥＴ  ＲＥＳＯＵＲＣＥ  ＡＣＫＮＯＷＬＥＤＧＥのために準備される、請求項３６又は請求項３７のコンピュータプログラム。
【請求項３９】
請求項３５〜３８のコンピュータプログラム（１４，２４）のいずれかを含む、コンピュータ読取可能な記憶媒体（１５，２５）。
【発明の詳細な説明】
【技術分野】
【０００１】
提案される技術は、概して、無線ネットワーク内のネットワークリソースのリセットの可能化に関する。
【背景技術】
【０００２】
ＧＳＭ（Global  System  for  Mobile  Communications）標準は、第１世代（１Ｇ）のアナログセルラーネットワークの置き換えとして開発され、当初は全二重音声テレフォニーのために最適化されたデジタル回線交換型ネットワークを記述していた。時間の経過と共に拡張が行われ、まずは回線交換型のトランスポートによって、次にＧＰＲＳ（General  Packet  Radio  Services）及びＥＤＧＥ（Enhanced  Data  rates  for  GSM  Evolution）（あるいはＥＧＰＲＳ）を介するパケットデータトランスポートによって、データ通信が包含された。
【０００３】
その後、３ＧＰＰ（3rd  Generation  Partnership  Project）は、第３世代の無線モバイル通信技術（３Ｇ）であるＵＭＴＳ（Universal  Mobile  Telecommunications  System）標準を、続けて第４世代（３Ｇ）であるＬＴＥ（Long  Time  Evolution）アドバンスト標準を開発した。
【０００４】
ＵＴＲＡＮ（Universal  Terrestrial  Radio  Access  Network）は、基地局あるいはＮｏｄｅＢ、及びＵＭＴＳ無線アクセスネットワークを作り上げる無線ネットワークコントローラ（ＲＮＣ）についての包括的な用語である。この通信ネットワークは、一般には３Ｇとして言及され、リアルタイムの回線交換型（ＣＳ）からＩＰベースのパケット交換型（ＰＳ）まで多くのトラフィックタイプを搬送することができる。ＵＴＲＡＮは、ＵＥ（user  equipment）とコアネットワーク（ＣＮ）との間の接続性を可能とする。
【０００５】
ＵＴＲＡＮは、基地局あるいはＮｏｄｅＢ、及び無線ネットワークコントローラ（ＲＮＣ）を含む。ＲＮＣは、１つ以上のＮｏｄｅＢのための制御機能性を提供する。ＲＮＣ及びその対応するＮｏｄｅＢは、無線ネットワークサブシステム（ＲＮＳ）を作り上げる。ＵＴＲＡＮには、１つよりも多くのＲＮＳが存在することができる。
【０００６】
ＵＴＲＡＮを内部的に又は外部的に他の機能エンティティへと接続するインタフェースは４つ存在する：Ｉｕ、Ｕｕ、Ｉｕｂ及びＩｕｒである（図１参照）。Ｉｕｂは、ＲＮＣをＮｏｄｅＢと接続する内部的なインタフェースである。また、ほとんどの時間において内部的なインタフェースであるＩｕｒインタフェースも存在し、但しこれは例外的にいくつかのネットワークアーキテクチャについて外部的なインタフェースとなることもできる。Ｉｕｒは、２つのＲＮＣを互いに接続する。
【０００７】
Ｕｕインタフェースは、ＮｏｄｅＢをユーザ機器（ＵＥ）と接続する外部的なインタフェースである。Ｉｕインタフェースもまた外部的であって、ＲＮＣをコアネットワーク（ＣＮ）へ接続する。図１のＩｕＣＳインタフェースはＣＳトラフィックタイプを搬送し、ＩｕＰＳインタフェースはＰＳトラフィックタイプを搬送する。３ＧでのＩｕインタフェースは、ＧＳＭにおけるモバイルスイッチングセンタ（ＭＳＣ）と基地局コントローラ（ＢＳＣ）との間のＡインタフェースに対応する。
【０００８】
Ｉｕインタフェースをまたいで、Ｉｕ汎用制御サービス及びＩｕ通知サービスが実装される。汎用制御サービスは、ＲＮＣとＣＮとの間のＩｕインタフェースインスタンス全体に関するサービスである。例えば、ＣＮ内の障害発生時にＵＴＲＡＮを初期化し又はその逆をするために使用されるリセット手続は、汎用制御サービスを実装するために使用される手続のうちの１つである。
【０００９】
ＵＭＴＳでは、Ｉｕインタフェース上のＣＮとＵＴＲＡＮとの間のシグナリングのために、ＲＡＮＡＰ（Radio  Access  Network  Application  Part）プロトコルが使用される［１］。ＲＡＮＡＰシグナリングプロトコルは、ＵＭＴＳプロトコルスタック内のＩｕインタフェースの無線ネットワークレイヤの制御プレーンに所在する。
【００１０】
トランザクションリファレンス情報の喪失をもたらしたＵＴＲＡＮにおける障害の発生時には、ＣＮへＲＡＮＡＰ  ＲＥＳＥＴメッセージが送信される。このメッセージは、ＣＮによって、影響を受ける無線アクセスベアラを解放し、影響を受ける全てのリファレンスを消去するために使用される。ガードピリオドの後、全てのリファレンスがクリアされたことを示すＲＥＳＥＴ  ＡＣＫＮＯＷＬＥＤＧＥメッセージがＵＴＲＡＮへと返送される。
【００１１】
対応する形で、トランザクションリファレンス情報の喪失をもたらしたＣＮにおける障害の発生時には、ＲＮＣへＲＡＮＡＰ  ＲＥＳＥＴメッセージが送信される。このメッセージは、ＵＴＲＡＮによって、影響を受ける無線アクセスベアラを解放し、影響を受ける全てのリファレンスを消去するために使用される。ガードピリオドの後、呼に関与していた全てのＵｅがもはや送信を行っていないこと、及びＵＴＲＡＮにおける全てのリファレンスがクリアされたことを示すＲＥＳＥＴ  ＡＣＫＮＯＷＬＥＤＧＥメッセージがＣＮへと返送される。
【００１２】
ＵＴＲＡＮ及びＣＮ内の特定のＵＥに関するリソースは、Ｉｕシグナリング接続を利用することにより、Ｉｕインタフェース上で制御される。このシグナリング接続が異常によって解放されてしまう場合のために、異常解放されたＩｕシグナリング接続により以前に制御されていたリソースをリセットする仕組みが存在しなければならない。
【００１３】
この機能性を実現する１つのあり得る手法は、Ｉｕシグナリング接続自体からの標識に依拠することであり、その標識は、当該シグナリング接続のユーザに、エラーによってシグナリング接続の異常解放が生じたことを知らせるはずである。
【００１４】
トランスポートレイヤと無線ネットワークレイヤとの間の独立性を維持するために、明示的なＲＡＮＡＰ手続であるＲｅｓｅｔＲｅｓｏｕｒｃｅが導入された。ＲｅｓｅｔＲｅｓｏｕｒｃｅ手続の目的は、装置の小部分にのみ影響した障害（例えば、異常なＩｕシグナリング接続解放、又はリソースハンギング）のケースでＣＮ／ＵＴＲＡＮ内の情報を復旧させることである。
【００１５】
異常なＩｕシグナリング接続解放に起因してＵＴＲＡＮにおいてリソースをアイドルにしなければならない場合、ＲＥＳＥＴ  ＲＥＳＯＵＲＣＥメッセージをＣＮへ送信するものとされている。ＣＮは、このメッセージを受信すると、指し示されたリソースのために使用されている全てのリソース（もしあれば）をクリアしてリセットし、ＲＥＳＥＴ  ＲＥＳＯＵＲＣＥ  ＡＣＫＮＯＷＬＥＤＧＥメッセージをＵＴＲＡＮへと返送する。
【００１６】
対応する形で、Ｉｕシグナリング接続の異常な解放に起因してＣＮにおいてリソースをアイドルにしなければならない場合、ＲＥＳＥＴ  ＲＥＳＯＵＲＣＥメッセージがＵＴＲＡＮへ送信されることになる。ＲＮＣは、ＲＥＳＥＴ  ＲＥＳＯＵＲＣＥメッセージを受信すると、指し示されたリソースへ関連付けられている全てのＵＴＲＡＮリソース（もしあれば）を解放してリセットするものとされている。
【００１７】
ＵＴＲＡＮ（Universal  Terrestrial  Radio  Access  Network）システムの開発のおかげで、ＲＮＣは、一層スケーラブルになっている。大規模な都市圏ＵＭＴＳ（Universal  Mobile  Telecommunications  System）ネットワークを管理するためにメガＲＮＣが開発されており、それにより、ＲＮＣのキャパシティは、接続ユーザ機器（ＵＥ）数の観点で飛躍的に増加している。
【００１８】
ネットワークはより多くのユーザを扱うために進化してきたことから、ネットワークリソースをリセットするための現行の手続は、例えばリセット手続におけるメッセージ輻輳及び／又は遅延といった、キャパシティの問題に遭遇している。この問題は、３Ｇには限定されず、例えばＧＳＭなどの他の無線ネットワークにおいても存在する。
【００１９】
よって、無線ネットワーク内のネットワークリソースをリセットするためのより効率的な手続について広くニーズが存在する。
【発明の概要】
【発明が解決しようとする課題】
【００２０】
目的は、無線ネットワーク内のネットワークリソースのリセットのための方法及びネットワークノードを提供することである。
【００２１】
この目的及び他の目的が、提案される技術の実施形態によって充足される。
【課題を解決するための手段】
【００２２】
実施形態のある観点は、３Ｇネットワーク内のネットワークリソースのリセットを可能にするための、第１のネットワークノードにより実行される方法に関する。当該方法は、情報エレメントの少なくとも１つのペアを提供するステップ、を含み、各ペアは、識別子のリスト内のそれぞれの識別子のレンジを定義し、識別子の各レンジ内の各識別子は、リセットされるべきそれぞれのネットワークリソースに関連付けられ、上記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される、Ｉｕシグナリング接続識別子ＩＥといった標準化された情報エレメント（ＩＥ）に対応する。
【００２３】
実施形態の他の観点は、３Ｇネットワーク内のネットワークリソースのリセットを可能にするための、第２のネットワークノードにより実行される方法に関する。当該方法は、情報エレメントの少なくとも１つのペアを受信するステップ、を含み、各ペアは、識別子のリスト内のそれぞれの識別子のレンジを定義し、識別子の各レンジ内の各識別子は、リセットされるべきそれぞれのネットワークリソースに関連付けられ、上記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＡＮＡＰメッセージであるＲＥＳＥＴ  ＲＥＳＯＵＲＣＥ内で受信される、Ｉｕシグナリング接続識別子ＩＥといった標準化された情報エレメント（ＩＥ）に対応する。
【００２４】
実施形態のまた別の観点は、３Ｇネットワーク内のネットワークリソースのリセットを可能にするように構成される第１のネットワークノードに関する。当該第１のネットワークノードは、情報エレメントの少なくとも１つのペアを提供するように構成され、各ペアは、識別子のリスト内のそれぞれの識別子のレンジを定義し、識別子の各レンジ内の各識別子は、リセットされるべきそれぞれのネットワークリソースに関連付けられ、上記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＥＳＥＴ  ＲＥＳＯＵＲＣＥ内で提供される、Ｉｕシグナリング接続識別子ＩＥといった標準化された情報エレメント（ＩＥ）に対応する。
【００２６】
実施形態のまた別の観点は、３Ｇネットワーク内のネットワークリソースのリセットを可能にするように構成される第２のネットワークノードに関する。当該第２のネットワークノードは、情報エレメントの少なくとも１つのペアを受信するように構成され、各ペアは、識別子のリスト内のそれぞれの識別子のレンジを定義し、識別子の各レンジ内の各識別子は、リセットされるべきそれぞれのネットワークリソースに関連付けられ、上記情報エレメントは、ＲＡＮＡＰ（Radio  Access  Network  Application  Part）  Ｒｅｓｅｔ  Ｒｅｓｏｕｒｃｅ手続中のＲＡＮＡＰメッセージであるＲＡＮＡＰメッセージであるＲＥＳＥＴ  ＲＥＳＯＵＲＣＥ内で受信される、Ｉｕシグナリング接続識別子ＩＥといった標準化された情報エレメント（ＩＥ）に対応する。
【００２８】
実施形態のまた別の観点は、少なくとも１つのプロセッサにより実行された場合に、上記プロセッサに、情報エレメントの少なくとも１つのペアを提供させる、命令を含むコンピュータプログラムであって、各ペアは、識別子のリスト内のそれぞれの識別子のレンジを定義し、識別子の各レンジ内の各識別子は、リセットされるべきそれぞれのネットワークリソースに関連付けられる、コンピュータプログラムに関する。
【００２９】
実施形態のまた別の観点は、少なくとも１つのプロセッサにより実行された場合に、上記プロセッサに、情報エレメントの少なくとも１つのペアを取得させる、命令を含むコンピュータプログラムであって、各ペアは、識別子のリスト内のそれぞれの識別子のレンジを定義し、識別子の各レンジ内の各識別子は、リセットされるべきそれぞれのネットワークリソースに関連付けられる、コンピュータプログラムに関する。
【００３０】
実施形態のまた別の観点は、上のコンピュータプログラムのいずれかを含む、電子信号、光信号、電磁信号、磁気信号、電気信号、無線信号、マイクロ波信号、又はコンピュータ読取可能な記憶媒体、のうちの１つである担体に関する。
【発明の効果】
【００３１】
提案される解決策の利点は、ＵＴＲＡＮ又は他の無線アクセスネットワーク（ＲＡＮ）が、リセット手続の遅延無く、又はネットワークインタフェースの輻輳無く、少なくとも部分的にリセットを行い得るであろうことである。
【００３２】
提案される解決策の他の利点は、リセット手続を初期化するために使用されるメッセージが非常にスリムになるであろうことである。
【００３３】
詳細な説明を読めば、他の利点が認識されるであろう。
【図面の簡単な説明】
【００３４】
実施形態と共に、それらのさらなる目的及び利点が、次の添付図面と併せて以下の説明を参照することにより、最も良く理解され得る。
【００３５】
【図１】ＵＴＲＡＮ（Universal  Terrestrial  Radio  Access  Network）のアーキテクチャの概略図である。
【図２】一実施形態に係る、第１のネットワークノードと第２のネットワークノードとの間のシグナリング及び／又はアクションの一例を示す概略図である。
【図３】具体的な実施形態に係る、ＲＮＣ及びＣＮのためのシグナリング及び／又はアクションの具体的な例を示す概略図である。
【図４】一実施形態に係る、無線ネットワーク内のネットワークリソースのリセットを可能にするための、第１のネットワークノードにより実行される方法の一例を示す概略フロー図である。
【図５】一実施形態に係る、図４の提供ステップの一例を示す概略フロー図である。
【図６】一実施形態に係る、無線ネットワーク内のネットワークリソースのリセットを可能にするための、第２のネットワークノードにより実行される方法の一例を示す概略フロー図である。
【図７】一実施形態に係る、無線ネットワーク内のネットワークリソースのリセットを可能にするように構成される第１のネットワークノードの一例を示す概略図である。
【図８】一実施形態に係る、無線ネットワーク内のネットワークリソースのリセットを可能にするように構成される第２のネットワークノードの一例を示す概略図である。
【図９】代替的な実施形態に係る、無線ネットワーク内のネットワークリソースのリセットを可能にするように動作可能な第１のネットワークノードの一例を示す概略図である。
【図１０】代替的な実施形態に係る、無線ネットワーク内のネットワークリソースのリセットを可能にするように動作可能な第２のネットワークノードの一例を示す概略図である。
【図１１】代替的な実施形態に係る、無線ネットワーク内のネットワークリソースのリセットを可能にするための第１のネットワークノードの一例を示す概略ブロック図である。
【図１２】一実施形態に係る、図１１の提供モジュールの一例を示す概略ブロック図である。
【図１３】代替的な実施形態に係る、無線ネットワーク内のネットワークリソースのリセットを可能にするための第２のネットワークノードの一例を示す概略ブロック図である。
【図１４】一実施形態に係る、図１３の取得モジュールの一例を示す概略ブロック図である。
【発明を実施するための形態】
【００３６】
図面を通じて、同様の又は対応する要素について同じ参照番号が使用される。
【００３７】
提案される技術は３Ｇネットワークの文脈において主に説明されることになるが、可能性として例えばＧＳＭ（Global  System  for  Mobile  Communications）といった他の通信システム内にそれが実装されてもよい。
【００３８】
背景欄において説明したように、３Ｇネットワーク内のＩｕインタフェースなどのネットワークインタフェース上のシグナリング接続におけるリソースハンギングなどの異常な障害があるケースでは、ネットワークリソースのリセット又は部分的リセットを実行すべきである。
【００３９】
現行の３ＧＰＰ（3rd  Generation  Partnership  Project）仕様には、Ｒｅｓｅｔ手続及びＲｅｓｅｔ  Ｒｅｓｏｕｒｃｅ手続という、Ｉｕインタフェース上の２つのタイプのリセット手続が存在する。Ｒｅｓｅｔ手続は、ＲＮＣからＣＮへの送信の場合、ＣＮにより、影響を受ける無線アクセスベアラを解放し及び送信側のＲＮＣのための全ての影響を受けるリファレンスを消去するために使用される。Ｒｅｓｅｔ  Ｒｅｓｏｕｒｃｅ手続は、ＲＮＣからＣＮへの送信の場合、ＣＮが受信されるメッセージにおいて示されるＩｕシグナリング接続識別子に関連付けられているリソース及びリファレンス（リソース及びＩｕシグナリング接続識別子など）をローカルで解放するものとされていることを、ＣＮに指示するために使用される。Ｒｅｓｅｔ  Ｒｅｓｏｕｒｃｅメッセージには、Ｉｕシグナリング接続識別子（Iu  Signalling  Connection  Identifier）という情報エレメント（ＩＥ）が包含され、各Ｉｕシグナリング接続識別子は、所与のＲＮＣと所与のＣＮノードとの間のＩｕシグナリング接続を一意に識別する。
【００４０】
ＵＴＲＡＮ（Universal  Terrestrial  Radio  Access  Network）システムの開発のおかげで、ＲＮＣは、一層スケーラブルになっている。大規模な都市圏ＵＭＴＳ（Universal  Mobile  Telecommunications  System）ネットワークを管理するためにメガＲＮＣが開発されており、それにより、ＲＮＣのキャパシティは、接続ユーザ機器（ＵＥ）数の観点で飛躍的に増加している。３ＧＰＰリリース１１では、サービングＲＮＣ無線ネットワーク一時識別子（Ｓ−ＲＮＴＩ）のアイデンティティの最大サイズは、より多くのアクティブなＵＥをＲＮＣが扱うことを可能とするために、２０ビットから２２ビットへと拡張された。
【００４１】
メガＲＮＣの実際の実装はベンダ固有であるが、あり得る実装は、例えば、ＲＮＣのプール又はＲＮＣモジュールのセットである。このタイプの実装では、メガＲＮＣ用のＩｕインタフェースの一部のみをリセットする必要がある場合、Ｒｅｓｅｔ手続は使用されないであろう。なぜなら、Ｒｅｓｅｔ手続は、メガＲＮＣ全体についての全てのＩｕインタフェースに影響するはずだからである。現行のＲｅｓｅｔ  Ｒｅｓｏｕｒｃｅ手続は、Ｉｕインタフェースの一部をリセットするために使用可能であることから、この目的にはより適しているであろう。しかしながら、ネットワークはますます多くのユーザを扱うように進化していることから、数百から数千のＩｕシグナリング接続識別子をリセットすることが恐らくは必要になるはずであり、問題が生じるかもしれない（例えば、ＲＡＮＡＰの輻輳、又はＲＮＣリセットにおける遅延）。現在では、Ｉｕシグナリング接続識別子ＩＥは、２４ビットとして定義されており、１つのメッセージ内のＩｕシグナリング接続識別子の最大数は２５０である。各々２４ビットを費やす２５０個のＩｕシグナリング接続識別子の送信は、膨大なＲＡＮＡＰメッセージをもたらすことになる。部分的なリセットを行う目的で多数のＲｅｓｅｔ  Ｒｅｓｏｕｒｃｅメッセージを送信することは、状況を一層悪化させるかもしれない。
【００４２】
他の無線ネットワークにおいても、同様の問題が生じる。
【００４３】
よって、無線ネットワーク内のネットワークリソースをリセットするためのより効率的な手続について広くニーズが存在する。
【００４４】
特に、３ＧネットワークにおけるＲＡＮＡＰの効率性を改善するニーズが存在する。
【００４５】
図４は、無線ネットワーク内のネットワークリソースのリセットを可能にするための、第１のネットワークノードにより実行される方法の一例を示す概略フロー図である。当該方法は、情報エレメントの少なくとも１つのペアを提供するステップＳ１０、を含み、各ペアは、識別子のリスト内のそれぞれの識別子のレンジを定義し、識別子の各レンジ内の各識別子は、リセットされるべきそれぞれのネットワークリソースに関連付けられる。
【００４６】
例示的な実施形態において、識別子の各レンジの長さは、２よりも大きい。
【００４７】
１つの実施形態において、情報エレメントのペアのうちの一方の情報エレメントは、識別子のリスト内の識別子のレンジの起点を示し、情報エレメントの同じペアのうちの他方の情報エレメントは、識別子の同じレンジの終点を示す。代替的な実施形態において、情報エレメントのペアのうちの一方の情報エレメントは、識別子のリスト内の識別子のレンジの起点又は終点を示し、情報エレメントの同じペアのうちの他方の情報エレメントは、識別子の同じレンジの長さを示す。
【００４８】
図５は、一実施形態に係る、図４の提供ステップＳ１０の一例を示す概略フロー図である。この例において、情報エレメントの少なくとも１つのペアを提供するステップＳ１０は、第２のネットワークノードへの転送のために情報エレメントの上記少なくとも１つのペアを準備するオプション的な（破線で示した）ステップＳ１１と、第２のネットワークノードへ情報エレメントの上記少なくとも１つのペアを送信し又はシグナリングするステップＳ１２と、を含む。
【００４９】
例示的な実施形態において、識別子とは、ネットワークインタフェースのシグナリング接続識別子（Signalling  Connection  Identifiers）を含む。
【００５０】
一実施形態において、情報エレメントの上記少なくとも１つのペアは、ＲＡＮＡＰ（Radio  Access  Network  Application  Part）メッセージ内で提供される。具体的な実施形態において、上記情報エレメントは、Ｉｕシグナリング接続識別子ＩＥといった標準化された情報エレメント（ＩＥ）に対応する。
【００５１】
他の具体的な実施形態において、情報エレメントの上記少なくとも１つのペアは、ＲＡＮＡＰ  Ｒｅｓｅｔ  Ｒｅｓｏｕｒｃｅ手続中のＲＥＳＥＴ  ＲＥＳＯＵＲＣＥメッセージ内で提供される（後の表Ａにおける実装の一例を参照）。
【００５２】
図６は、一実施形態に係る、無線ネットワーク内のネットワークリソースのリセットを可能にするための、第２のネットワークノードにより実行される方法の一例を示す概略フロー図である。当該方法は、情報エレメントの少なくとも１つのペアを受信するステップＳ２０、を含み、各ペアは、識別子のリスト内のそれぞれの識別子のレンジを定義し、識別子の各レンジ内の各識別子は、リセットされるべきそれぞれのネットワークリソースに関連付けられる。
【００５３】
例示的な実施形態において、識別子の各レンジの長さは、２よりも大きい。
【００５４】
具体的な実施形態において、上記方法は、情報エレメントの受信されるそれぞれのペアにより定義される識別子の各レンジ内のそれぞれの識別子に関連付けられる各ネットワークリソースをリセットするオプション的なステップＳ３０、をさらに含む。図６において、ステップＳ３０は破線で示されている。
【００５５】
他の具体的な実施形態において、上記方法は、情報エレメントの上記少なくとも１つのペアが受信されたという確認応答を行うオプション的なステップＳ４０、をさらに含む。図６において、ステップＳ４０は破線で示されている。
【００５６】
特定の例示的な実施形態において、情報エレメントの上記少なくとも１つのペアが受信されたという確認応答を行うステップＳ４０は、第１のネットワークノードへＲＡＮＡＰ（Radio  Access  Network  Application  Part）メッセージを送信するステップ、を含む。
【００５７】
他の特定の例示的な実施形態において、情報エレメントの上記少なくとも１つのペアが受信されたという確認応答を行うステップＳ４０は、ＲＡＮＡＰ  Ｒｅｓｅｔ  Ｒｅｓｏｕｒｃｅ  Ａｃｋｎｏｗｌｅｄｇｅ手続中にＲＥＳＥＴ  ＲＥＳＯＵＲＣＥ  ＡＣＫＮＯＷＬＥＤＧＥメッセージを第１のネットワークノードへ送信するステップ、を含む。
【００５８】
１つの実施形態において、第１のネットワークノードは、無線ネットワークコントローラ（ＲＮＣ）であり、第２のネットワークノードは、コアネットワークノード（ＣＮノード）である。代替的な実施形態において、第１のネットワークノードは、コアネットワークノード（ＣＮノード）であり、第２のネットワークノードは、無線ネットワークコントローラ（ＲＮＣ）である。
【００５９】
図２は、一実施形態に係る、第１のネットワークノード１０と第２のネットワークノード２０との間のシグナリング及び／又はアクションの一例を示す概略図である。例として、ネットワークリソースの少なくとも部分的なリセットを実行すべきであると決定されると、第１のネットワークノード１０は、リセットされるべきリソースに関連付けられる識別子のレンジに関する情報を第２のネットワークノード２０へ送信することにより、ネットワークリソースのリセットを可能にする。第２のネットワークノード２０は、当該情報を受信し、それら識別子に関連付けられているネットワークリソースのリセットを可能にする。また、具体的な実施形態において、第２のネットワークノード２０は、情報が受信されたという確認応答を第１のネットワークノード１０へ送信する。また、１つの実施形態において、第２のネットワーク２０は、識別子に関連付けられているネットワークリソースのリセットを実行する。代替的な実施形態において、そのリセットは、他のネットワークノードにより実行されてもよい。
【００６０】
上に提示した解決策を用いて、ＵＴＲＡＮ又は他の無線アクセスネットワーク（ＲＡＮ）を、リセット手続の遅延無く、又はネットワークインタフェースの輻輳無く、少なくとも部分的にリセットすることができるであろう。
【００６１】
特に、リセット手続を初期化するために使用される上記メッセージを、非常にスリムにすることができるであろう。
【００６２】
以下では、実例としての実施形態のいくつかの非限定的な例が説明される。
【００６３】
提案される技術は、非常に短いメッセージでリソースの一部又は複数の部分をリセットする方法を提供する。リセットすべき個々のＩｕシグナリング接続識別子のリストを送信する代わりに、１つの実施形態では、ＲＮＣは、Ｉｕシグナリング接続識別子のペアのリストをＣＮへ送信し、各ペア内の２つの値が、リセットされるべきリソースについてのＩｕシグナリング接続識別子のレンジを表す。各ペア内の２つの値は、例えば、Ｉｕシグナリング接続識別子のレンジの始まり及び終わりを、又は、当該レンジの始まり及び長さ若しくは当該レンジの終わり及び長さを表すことができる。
【００６４】
他の実施形態において、Ｉｕシグナリング接続識別子の個々及びペアがリスト内で混在していてもよい。
【００６５】
メガＲＮＣは、１つの実施形態において、例えばＲＮＣのプールを介して実装されてもよく、又は、他の実施形態においてモジュールの集合、若しくはさらに別の実施形態において他の任意の技法を介して実装されてもよい。メガＲＮＣは、１つの実施形態において、具体的なＩｕ接続を扱うことになるメガＲＮＣの物理的な副次的部分（sub-part）にＩｕシグナリング接続識別子の割り当て値が関連させられるように、ＲＮＣとＣＮドメインとの間のＩｕシグナリング接続の確立の期間中に、実装依存のロジックを適用するであろう。
【００６６】
そうしたケースでは、ＲＮＣプール内のあるノード若しくはＲＮＣ内のあるモジュール又は対応するもののみがリセットされるべきである場合に、ＲＮＣは、１つの実施形態において、例えば、非常に短いメッセージにおいてＩｕシグナリング接続識別子のレンジの始まり及び終わりを提供することにより、リソース識別子のレンジを提供する。表Ａ及び表Ｂは、そうした実装の一例を示している。
【００６７】
代替的な実施形態において、Ｉｕシグナリング接続識別子のレンジの始まり及び長さを提供することができる。また別の代替的な実施形態において、Ｉｕシグナリング接続識別子のレンジの終わり及び長さを提供することができる。
【００６８】
１つの実施形態において、ＣＮは、レンジ内の全てのＩｕシグナリング接続識別子がリセットされるべきであると理解する。具体的な実施形態において、ＣＮは、全ての未知の識別子をスキップする。他の具体的な実施形態において、ＣＮは、次いで、確認応答を返送する。
【００６９】
図３は、１つの例示的な実施形態に係る、ＲＮＣとＣＮとの間の通信を示す概略シグナリング図である。
【００７０】
具体的な実施形態において、ＲＮＣは、レンジのリストを送信する。
【００７１】
本解決策は、１つの実施形態において、新たなＲＡＮＡＰメッセージを導入することにより実装されることができ、又は他の実施形態において、標準［１］に既に存在するＲＡＮＡＰメッセージを修正することにより実装されることができる。
【００７２】
代替的な実施形態において、本解決策は、恐らくは“ユーザプレーン”メッセージにおいて実装されることができる。
【００７３】
例示的な実施形態において、本解決策は、標準［１］に既に存在するＲＡＮＡＰ  Ｒｅｓｅｔ  Ｒｅｓｏｕｒｃｅメッセージにおいて実装されることができる。代替的な例としての実施形態において、本解決策は、既存のＲＡＮＡＰ  Ｒｅｓｅｔメッセージにおいて、又は他の適したＲＡＮＡＰメッセージにおいて実装されることができる。
【００７４】
上で提示した解決策を用いて、メガＲＮＣを、リセット手続の遅延無く、又はＲＡＮＡＰインタフェースの輻輳無く、部分的にリセットすることができる。
【００７５】
ＲＮＣ内のＩｕシグナリング接続識別子を取り決める良好なロジックを使用すれば、部分的リセットのメッセージを非常にスリムにすることができる。
【００７６】
表Ａは、一実施形態に係る標準［１］のＲＡＮＡＰ  ＲＥＳＥＴ  ＲＥＳＯＵＲＣＥメッセージの修正後の定義の一例を示している。提案される変更は、網掛けされたセルに示されている。この例では、新たなＩＥ“Iu  Sig  Conn  Id  Range  End”が既存の“Reset  Resource  List”内に導入される。同様の情報を搬送する新たなＩＥを他の位置に定義することもできる。
【００７７】
表Ａに示した例示的な実装において、既存のＩＥ“Iu  Signalling  Connection  Identifier”は、メッセージ内に新たなＩＥ“Iu  Sig  Conn  Id  Range  End”が含められるケースについて、リセットされるべきＩｕシグナリング接続識別子のレンジの始まりとして使用される。よって、既存のＩＥが、「再利用」されるが、新たな意味合いを付与される。当然ながら、他の実装において、いかなる既存のＩＥを再利用することもなく、レンジの終わりに加えてレンジの始まりのための新たなＩＥを導入することも可能であろう。他の実装もまた当然にあり得る。また、上述したように、レンジの長さを、始まり／終わりの代替として提供することもできる。
【００７８】
本メッセージは、１つの実施形態においてＣＮにより、又は他の実施形態においてＲＮＣにより送信される。送信側のエンティティは、受信側のエンティティへ、受信側のエンティティがメッセージのＩｕシグナリング接続識別子に関連付けられているリソース及びリファレンスを解放すること、を要求すると通知する。
【００７９】
方向：ＲＮＣ→ＣＮ及びＣＮ→ＲＮＣ。シグナリングベアラモード：コネクションレス
【００８０】
【表１】
0006351761.tif 000002
【００８１】
ＲＥＳＥＴ  ＲＥＳＯＵＲＣＥメッセージ内に収容されるＩｕシグナリング接続識別子の最大数は、上の表に示した通りのmaxnoofIuSigConIds（maximum  number  of  Iu  signalling  connection  identifiers）について特定されるレンジ境界を超えないものとする。
【００８２】
表Ｂは、一実施形態に係る標準［１］のＲＡＮＡＰ  ＲＥＳＥＴ  ＲＥＳＯＵＲＣＥ  ＡＣＫＮＯＷＬＥＤＧＥメッセージに取り入れられる同様の修正を示している。提案される変更は、網掛けされたセルに示されている。本メッセージは、１つの実施形態においてＣＮにより、又は他の実施形態においてＲＮＣにより、ＲＥＳＥＴ  ＲＥＳＯＵＲＣＥメッセージが受信されたことをＲＮＣ又はＣＮへ通知するために送信される。
【００８３】
方向：ＲＮＣ→ＣＮ及びＣＮ→ＲＮＣ。シグナリングベアラモード：コネクションレス
【００８４】
【表２】
0006351761.tif 000003
【００８５】
実装の一例において、ここで説明したステップ、機能、手続、モジュール及び／又はブロックのうちの少なくともいくつかは、１つ以上のプロセッサを含む処理回路による実行のためにメモリへとロードされるコンピュータプログラムにおいて実装される。プロセッサ及びメモリは、互いに接続されて、通常のソフトウェア実行を可能とされる。オプションとしての入出力デバイスもまたプロセッサ及び／又はメモリへ相互接続され、入力パラメータ及び／又は結果としての出力パラメータなどの関連データの入力及び／又は出力を可能とされてよい。
【００８６】
よって、ここでの実施形態は、図７及び図８に描いたネットワークノード内のそれぞれのプロセッサなどの１つ以上のプロセッサを通じて、ここでの実施形態の機能及びアクションを実行するためのそれぞれのコンピュータプログラムコードと共に実装されてよい。
【００８７】
［第１のネットワークノード］
例示的な実施形態によれば、第１のネットワークノードは、無線ネットワーク内のネットワークリソースのリセットを可能にするように構成される。第１のネットワークノードは、情報エレメントの少なくとも１つのペアを提供するように構成される。各ペアは、識別子のリスト内のそれぞれの識別子のレンジを定義し、識別子の各レンジ内の各識別子は、リセットされるべきそれぞれのネットワークリソースに関連付けられる。
【００８８】
例示的な実施形態において、識別子の各レンジの長さは、２よりも大きい。
【００８９】
１つの実施形態において、情報エレメントのペアのうちの一方の情報エレメントは、識別子のリスト内の識別子のレンジの起点を示し、情報エレメントの同じペアのうちの他方の情報エレメントは、識別子の同じレンジの終点を示す。代替的な実施形態において、情報エレメントのペアのうちの一方の情報エレメントは、識別子のリスト内の識別子のレンジの起点又は終点を示し、情報エレメントの同じペアのうちの他方の情報エレメントは、識別子の同じレンジの長さを示す。
【００９０】
１つの実施形態において、第１のネットワークノードは、第２のネットワークノードへの転送のために情報エレメントの上記少なくとも１つのペアを準備し、第２のネットワークノードへ情報エレメントの上記少なくとも１つのペアを送信し又はシグナリングする、ように構成される。
【００９１】
例示的な実施形態において、上記識別子は、ネットワークインタフェースシグナリング接続識別子を含む。
【００９２】
一実施形態において、第１のネットワークノードは、ＲＡＮＡＰ（Radio  Access  Network  Application  Part）メッセージ内で情報エレメントの上記少なくとも１つのペアを提供する、ように構成される。具体的な実施形態において、上記情報エレメントは、Ｉｕシグナリング接続識別子ＩＥといった標準化された情報エレメントに対応する。
【００９３】
他の具体的な実施形態において、第１のネットワークノードは、情報エレメントの上記少なくとも１つのペアを、ＲＡＮＡＰ  Ｒｅｓｅｔ  Ｒｅｓｏｕｒｃｅ手続中のＲＥＳＥＴ  ＲＥＳＯＵＲＣＥメッセージ内で提供する、ように構成される。
【００９４】
１つの実施形態において、第１のネットワークノードは、無線ネットワークコントローラ（ＲＮＣ）である。代替的な実施形態において、第１のネットワークノードは、コアネットワークノード（ＣＮノード）である。
【００９５】
図７は、一実施形態に係る、無線ネットワーク内のネットワークリソースのリセットを可能にするように動作可能な第１のネットワークノード１０の一例を示す概略図である。この例において、第１のネットワークノード１０は、基本的に、プロセッサ１１、関連付けられるメモリ１２、及びオプションとしての通信回路１３を備える。オプションとしての通信回路１３は、１つ以上の他のノードとの、情報の送信及び／又は受信を含む無線通信及び／又は有線通信のために適合される。
【００９６】
図７の具体的な例に示したように、第１のネットワークノード１０は、プロセッサ１１及びメモリ１２を備え、メモリ１２は、第１のネットワークノード１０の動作を実行するためにプロセッサ１１により実行可能な命令を含む。よって、この例示的な実施形態において、プロセッサ１１は、情報エレメントの少なくとも１つのペアを提供するように動作可能であり、各ペアは、識別子のリスト内のそれぞれの識別子のレンジを定義し、識別子の各レンジ内の各識別子は、リセットされるべきそれぞれのネットワークリソースに関連付けられる。
【００９７】
具体的な例としての実施形態において、プロセッサ１１は、第２のネットワークノードへの転送のために、情報エレメントの上記少なくとも１つのペアを準備する、ように動作可能である。
【００９８】
図７に示したように、第１のネットワークノード１０は、１つ以上の他のノードとの、情報の送信及び／又は受信を含む通信のための通信回路１３をも含んでよい。よって、具体的な実施形態において、第１のネットワークノード１０は、第２のネットワークノードへ情報エレメントの上記少なくとも１つのペアを送信するように構成される通信回路１３、を備える。
【００９９】
［第２のネットワークノード］
例示的な実施形態によれば、第２のネットワークノードは、無線ネットワーク内のネットワークリソースのリセットを可能にするように構成される。第２のネットワークノードは、情報エレメントの少なくとも１つのペアを受信するように構成される。各ペアは、識別子のリスト内のそれぞれの識別子のレンジを定義し、識別子の各レンジ内の各識別子は、リセットされるべきそれぞれのネットワークリソースに関連付けられる。
【０１００】
例示的な実施形態において、識別子の各レンジの長さは、２よりも大きい。
【０１０１】
具体的な実施形態において、第２のネットワークノードは、情報エレメントの受信されるそれぞれのペアにより定義される識別子の各レンジ内のそれぞれの識別子に関連付けられる各ネットワークリソースをリセットする、ようにさらに構成される。
【０１０２】
他の具体的な実施形態において、第２のネットワークノードは、情報エレメントの上記少なくとも１つのペアが受信されたという確認応答を行う、ようにさらに構成される。
【０１０３】
具体的な例としての実施形態において、第２のネットワークノードは、第１のネットワークノードへＲＡＮＡＰ（Radio  Access  Network  Application  Part）メッセージを送信して、情報エレメントの上記少なくとも１つのペアが受信されたという確認応答を行う、ように構成される。
【０１０４】
他の具体的な例としての実施形態において、第２のネットワークノードは、ＲＡＮＡＰ  Ｒｅｓｅｔ  Ｒｅｓｏｕｒｃｅ  Ａｃｋｎｏｗｌｅｄｇｅ手続中にＲＥＳＥＴ  ＲＥＳＯＵＲＣＥ  ＡＣＫＮＯＷＬＥＤＧＥメッセージを上記第１のネットワークノードへ送信して、情報エレメントの上記少なくとも１つのペアが受信されたという確認応答を行う、ように構成される。
【０１０５】
１つの実施形態において、第２のネットワークノードは、コアネットワークノード（ＣＮノード）である。代替的な実施形態において、第２のネットワークノードは、無線ネットワークコントローラ（ＲＮＣ）である。
【０１０６】
図８は、一実施形態に係る、無線ネットワーク内のネットワークリソースのリセットを可能にするように動作可能な第２のネットワークノード２０の一例を示す概略図である。この例において、第２のネットワークノード２０は、基本的に、プロセッサ２１、関連付けられるメモリ２２、及びオプションとしての通信回路２３を備える。オプションとしての通信回路２３は、１つ以上の他のノードとの、情報の送信及び／又は受信を含む無線通信及び／又は有線通信のために適合される。
【０１０７】
図８の具体的な例に示したように、第２のネットワークノード２０は、プロセッサ２１及びメモリ２２を備え、メモリ２２は、第２のネットワークノード２０の動作を実行するためにプロセッサ２１により実行可能な命令を含む。よって、この例示的な実施形態において、プロセッサ２１は、情報エレメントの少なくとも１つのペアを取得するように動作可能であり、各ペアは、識別子のリスト内のそれぞれの識別子のレンジを定義し、識別子の各レンジ内の各識別子は、リセットされるべきそれぞれのネットワークリソースに関連付けられる。
【０１０８】
具体的な実施形態において、プロセッサ２１は、情報エレメントの受信されるそれぞれのペアにより定義される識別子の各レンジ内のそれぞれの識別子に関連付けられる各ネットワークリソースをリセットする、ようにさらに動作可能である。
【０１０９】
他の具体的な実施形態において、プロセッサ２１は、情報エレメントの上記少なくとも１つのペアが受信されたという確認応答を準備する、ようにさらに動作可能である。
【０１１０】
図８に示したように、第２のネットワークノード２０は、１つ以上の他のノードとの、情報の送信及び／又は受信を含む通信のための通信回路２３をも含んでよい。よって、具体的な実施形態において、第２のネットワークノード２０は、情報エレメントの少なくとも１つのペアを受信するように構成される通信回路２３、を備え、各ペアは、識別子のリスト内のそれぞれの識別子のレンジを定義し、識別子の各レンジ内の各識別子は、リセットされるべきそれぞれのネットワークリソースに関連付けられる。
【０１１１】
他の具体的な実施形態において、通信回路２３は、情報エレメントの上記少なくとも１つのペアが受信されたという確認応答を送信する、ようにさらに構成される。
【０１１２】
上述したように、上述したステップ、機能、手続、モジュール及び／又はブロックのうちの少なくともいくつかが、１つ以上の処理ユニットを含む適切な処理回路による実行のためのコンピュータプログラムなどのソフトウェアにおいて実装されてもよい。そうした実装の例が、図９及び図１０に概略的に示されている。
【０１１３】
図９に概略的に示した一実施形態によれば、コンピュータプログラム１４は、少なくとも１つのプロセッサ１１により実行された場合に、当該プロセッサに情報エレメントの少なくとも１つのペアを提供させる命令、を含み、各ペアは、識別子のリスト内のそれぞれの識別子のレンジを定義し、識別子の各レンジ内の各識別子は、リセットされるべきそれぞれのネットワークリソースに関連付けられる。
【０１１４】
図１０に概略的に示した他の実施形態によれば、コンピュータプログラム２４は、少なくとも１つのプロセッサ２１により実行された場合に、当該プロセッサに情報エレメントの少なくとも１つのペアを取得させる命令、を含み、各ペアは、識別子のリスト内のそれぞれの識別子のレンジを定義し、識別子の各レンジ内の各識別子は、リセットされるべきそれぞれのネットワークリソースに関連付けられる。
【０１１５】
具体的な実施形態において、コンピュータプログラム２４は、少なくとも１つのプロセッサ２１により実行された場合に、さらに上記プロセッサに、情報エレメントの受信されるそれぞれのペアにより定義される識別子の各レンジ内のそれぞれの識別子に関連付けられる各ネットワークリソースをリセットさせる、命令を含む。
【０１１６】
他の具体的な実施形態において、コンピュータプログラム２４は、少なくとも１つのプロセッサ２１により実行された場合に、さらに上記プロセッサに、情報エレメントの上記少なくとも１つのペアが受信されたという確認応答を準備させる、命令を含む。
【０１１７】
例として言うと、ソフトウェア又はコンピュータプログラムは、コンピュータ読取可能な媒体、特に不揮発性の媒体上に通常は担持され又は記憶されるコンピュータプログラムプロダクトとして実現されてよい。コンピュータ読取可能な媒体は、限定ではないものの、読取り専用メモリ（ＲＯＭ）、ランダムアクセスメモリ（ＲＡＭ）、ＣＤ（Compact  Disc）、ＤＶＤ（Digital  Versatile  Disc）、ＢＤ（Blueray  disc）、ＵＳＢ（Universal  Serial  Bus）メモリ、ハードディスクドライブ（ＨＤＤ）記憶デバイス、フラッシュメモリ、磁気テープ、又は何らかの他の従来型のメモリデバイスを含む、１つ以上の着脱型の又は非着脱型のメモリデバイスを含んでよい。よって、コンピュータプログラムは、コンピュータ又は同等の処理デバイスの作業メモリへと、その処理回路による実行のためにロードされ得る。
【０１１８】
よって、提案される技術は、図９及び図１０に示した担体１５、２５をも提供し、担体１５、２５は上のコンピュータプログラムのうちの１つ以上を含み、その担体は、電子信号、光信号、電磁信号、磁気信号、電気信号、無線信号、マイクロ波信号、又はコンピュータ読取可能な記憶媒体のうちの１つである。
【０１１９】
上で提示した１つ又は複数のフロー図は、１つ以上のプロセッサにより実行される場合には、１つ又は複数のコンピュータフロー図であると見なされてよい。対応するネットワークノードは、機能モジュールの集合として定義されてもよく、プロセッサによって実行される各ステップが機能モジュールに対応する。このケースにおいて、機能モジュールは、プロセッサ上で稼働するコンピュータプログラムとして実装される。よって、ネットワークノードは、代替的に、少なくとも１つのプロセッサ上で稼働するコンピュータプログラムとして実装される機能モジュールの集合として定義されてもよい。
【０１２０】
よって、メモリ内に所在するコンピュータプログラムは、適切な機能モジュールとして編成されてもよく、それら機能モジュールは、プロセッサにより実行された場合に、ここで説明したステップ及び／又はタスクのうちの少なくとも一部を実行するように構成される。そうした機能モジュールの例が、図１１〜図１４に示されている。
【０１２１】
図１１は、一実施形態に係る、無線ネットワーク内のネットワークリソースのリセットを可能にするための第１のネットワークノード１０の一例を示す概略ブロック図である。この例において、第１のネットワークノード１０は、情報エレメントの少なくとも１つのペアを提供するための提供モジュール１００、を備え、各ペアは、識別子のリスト内のそれぞれの識別子のレンジを定義し、識別子の各レンジ内の各識別子は、リセットされるべきそれぞれのネットワークリソースに関連付けられる。
【０１２２】
図１２は、一実施形態に係る、図１１の提供モジュール１００の具体的な例を示す概略ブロック図である。この例において、提供モジュール１００は、第２のネットワークノードへの転送のために情報エレメントの上記少なくとも１つのペアを準備するための準備モジュール１１０、を備える。
【０１２３】
図１３は、一実施形態に係る、無線ネットワーク内のネットワークリソースのリセットを可能にするための第２のネットワークノード２０の一例を示す概略ブロック図である。この例において、第２のネットワークノード２０は、情報エレメントの少なくとも１つのペアを取得するための取得モジュール２００、を備え、各ペアは、識別子のリスト内のそれぞれの識別子のレンジを定義し、識別子の各レンジ内の各識別子は、リセットされるべきそれぞれのネットワークリソースに関連付けられる。
【０１２４】
具体的な例として、図１３において破線で示したように、第２のネットワークノード２０は、情報エレメントの受信されるそれぞれのペアにより定義される識別子の各レンジ内のそれぞれの識別子に関連付けられる各ネットワークリソースをリセットするためのリセットモジュール３００、をさらに備える。
【０１２５】
さらなる例として、図１３においてやはり破線で示したように、第２のネットワークノード２０は、情報エレメントの上記少なくとも１つのペアが受信されたという確認応答を行うための確認応答モジュール４００、をさらに備える。
【０１２６】
例示的な実施形態において、確認応答モジュール４００は、確認応答メッセージを生成し、第１のネットワークノードへの転送のために確認応答メッセージを準備する。
【０１２７】
図１４は、一実施形態に係る、図１３の取得モジュール２００の具体的な例を示す概略ブロック図である。この例において、特にプロセッサの視点から、取得モジュール２００は、情報エレメントの上記少なくとも１つのペアを読み取るための読み取りモジュール２１０、を備える。
【０１２８】
１つの実施形態において、上述したネットワークインタフェースは、特に無線アクセスネットワーク（ＲＡＮ）とコアネットワーク（ＣＮ）との間の制御プレーン内のインタフェースをいう。３Ｇネットワークについての例示的な実装において、上記ネットワークインタフェースは、無線ネットワークコントローラ（ＲＮＣ）とＣＮとの間のＩｕインタフェースに相当する。ＧＳＭネットワークについては、これは、モバイルスイッチングセンタ（ＭＳＣ）と基地局コントローラ（ＢＳＣ）との間のＡインタフェースに相当するはずである。
【０１２９】
“含む”又は“備える”との語を使用する場合、それは非限定的なものとして解釈されるものとし、即ち、“少なくとも〜からなる”を意味する。
【０１３０】
ここで使用されるところによれば、ユーザ機器（ＵＥ）との用語は、セルラー若しくはモバイル通信システムにおいて無線ネットワークノードと通信する任意のタイプの無線デバイス、又は、セルラー若しくはモバイル通信システム内の通信用の何らかの関係する標準に係る無線通信のための無線回路を具備する任意のデバイスを含む、非限定的な用語として解釈されるべきである。しばしば、無線デバイスとの用語がＵＥとの用語と等価に使用される。例えば、ＵＥとの用語は、モバイルフォン、セルラーフォン、無線通信ケイパビリティを具備するＰＤＡ（Personal  Digital  Assistant）、スマートフォン、内部若しくは外部のモバイルブロードバンドモデムを具備するラップトップ若しくはパーソナルコンピュータ（ＰＣ）、無線通信ケイパビリティを伴うタブレットＰＣ、ターゲットデバイス、デバイスツーデバイスＵＥ、マシンタイプＵＥ若しくはＭ２Ｍ（machine  to  machine）通信可能なＵＥ、ｉＰＡＤ、ＣＰＥ（customer  premises  equipment）、ＬＥＥ（laptop  embedded  equipment）、ＬＭＥ（laptop  mounted  equipment）、ＵＳＢドングル、ポータブル電子無線通信デバイス、又は無線通信ケイパビリティを具備するセンサデバイスなどへの言及であり得る。
【０１３１】
ここで使用されるところによれば、“ネットワークノード”という非限定的な用語は、基地局、ネットワークコントローラなどのネットワーク制御ノード、無線ネットワークコントローラ、及び基地局コントローラなど、並びに上で例示したような無線デバイスへの言及であり得る。特に、“基地局”との用語は、ノードＢ又は拡張ノードＢ（ｅＮｏｄｅＢ）といった標準化された基地局、及び、マクロ／マイクロ／ピコ無線基地局、フェムト基地局としても知られるホーム基地局、リレーノード、リピータ、無線アクセスポイント、基地送受信局（ＢＴＳ）を含み、１つ以上のＲＲＵ（Remote  Radio  Units）を制御する無線制御ノードさえも含む様々なタイプの無線基地局を包含し得る。
【０１３２】
ここで説明した方法及びデバイスは多様な手法で組み合わされ及び再構成されることができることが理解されるであろう。
【０１３３】
例えば、実施形態は、適切な処理回路による実行のためのハードウェア若しくはソフトウェアにおいて、又はそれらの組み合わせにおいて実装されてもよい。
【０１３４】
ここで説明したステップ、機能、手続、モジュール及び／又はブロックは、汎用の電子回路及びアプリケーション固有の回路の双方を含む、離散回路又は集積回路技術といった任意の旧来の技術を用いるハードウェアにおいて実装されてもよい。
【０１３５】
具体的な例は、１つ以上の適切に構成されたデジタル信号プロセッサと、例えば専門化された機能を実行するように相互接続された離散ロジックゲート又はＡＳＩＣ（Application  Specific  Integrated  Circuits）といった他の既知の電子回路とを含む。
【０１３６】
処理回路の例は、限定ではないものの、１つ以上のマイクロプロセッサ、１つ以上のデジタル信号プロセッサ（ＤＳＰ）、１つ以上の中央処理装置（ＣＰＵ）、ビデオアクセラレーションハードウェア、及び／又は、１つ以上のＦＰＧＡ（Field  Programmable  Gate  Arrays）若しくは１つ以上のＰＬＣ（Programmable  Logic  Controllers）といった任意の適切なプログラマブルロジック回路を含む。
【０１３７】
任意の旧来のデバイス又はユニットの汎用的な処理ケイパビリティを再利用してその中で提案した技術を実装することも可能であり得ることが理解されるべきである。既存のソフトウェアを再プログラミングし又は新たなソフトウェアコンポーネントを追加することにより、既存のソフトウェアを再利用することもまた可能であり得る。
【０１３８】
“プロセッサ”との用語は、プログラムコード又はコンピュータプログラム命令を実行して特定の処理、判定又は計算タスクを実行することの可能なシステム又はデバイスとしての一般的な意味で解釈されるべきである。
【０１３９】
そのようにして、１つ以上のプロセッサを含む処理回路は、コンピュータプログラムを実行した場合に、上述したような良好に定義された処理タスクを遂行するように構成される。
【０１４０】
処理回路は、上述したステップ、機能、手続及び／又はブロックの実行のみのために専用でなくてもよく、他のタスクを実行してもよい。
【０１４１】
上述した実施形態は、例として与えられているに過ぎず、提案した技術はそれらに限定されないことが理解されるべきである。添付した特許請求の範囲により定義される通りの現在のスコープから逸脱することなく、実施形態に対し多様な修正、組み合わせ及び変更がなされてもよいことが、当業者によって理解されるであろう。特に、異なる実施形態における異なる部分の解決策を、技術的に可能であれば他の構成で組み合わせることができる。
【０１４２】
＜参照＞
［１］3rd  Generation  Partnership  Project;  Technical  Specification  Group  Radio  Access  Network;  UTRAN  Iu  Interface  Radio  Access  Network  Application  Part  (RANAP)  signalling  (Release  12);  3GPP  TS  25.413  v12.0.0  (chapters  9.1.44,  9.1.45,  9.2.1.38)
【図１】
0006351761.tif 000004
【図２】
0006351761.tif 000005
【図３】
0006351761.tif 000006
【図４】
0006351761.tif 000007
【図５】
0006351761.tif 000008
【図６】
0006351761.tif 000009
【図７】
0006351761.tif 000010
【図８】
0006351761.tif 000011
【図９】
0006351761.tif 000012
【図１０】
0006351761.tif 000013
【図１１】
0006351761.tif 000014
【図１２】
0006351761.tif 000015
【図１３】
0006351761.tif 000016
【図１４】
0006351761.tif 000017